(57)【要約】【課題】サポータ本体をトイレの壁面に沿って収納可能、かつ、水平位置に繰り出し可能で、しかも構造が簡単で、その構成部材及びトイレの壁面の強度が低くて済み省スペース化を図ることができるトイレにおける身体サポータを提供すること。【解決手段】トイレの壁面Ａに沿って水平に設けた手摺１と、支柱２を介して手摺１と連結したサポータ本体３と、サポータ本体３に回動可能に連結した補助支柱４とを有している。サポータ本体３は手摺１を支点として上下方向に回動することにより、トイレの壁面Ａに沿った位置に収納可能、かつ、水平位置に繰り出し可能であり、この水平位置では、補助支柱４の先端４ａがトイレの壁面Ａ又は床面Ｂに当接することによってサポータ本体３を水平位置に固定可能である。【選択図】    図１
2004195014.tif 000002
【特許請求の範囲】
【請求項１】
トイレの壁面に沿って水平に設けた手摺と、支柱を介して手摺と連結したサポータ本体と、サポータ本体又は支柱に回動可能に連結した補助支柱とを有し、
サポータ本体は手摺を支点として上下方向に回動することにより、トイレの壁面に沿った位置に収納可能、かつ、水平位置に繰り出し可能であり、この水平位置では、補助支柱の先端がトイレの壁面又は床面に当接することによってサポータ本体を水平位置に固定可能であるトイレにおける身体サポータ。
【請求項２】
手摺と支柱とが着脱可能である請求項１に記載のトイレにおける身体サポータ。
【請求項３】
手摺とサポータ本体とを連結する前記支柱の長さが調節可能である請求項１に記載のトイレにおける身体サポータ。
【請求項４】
補助支柱が鎖又は紐によってトイレの壁面と連結されている請求項１〜３の何れか１項に記載のトイレにおける身体サポータ。
【請求項５】
補助支柱の先端近傍に、サポータ本体がトイレの壁面に沿った位置に収納されているときにトイレの壁面と当接する支持桿を設けている請求項１〜４の何れか１項に記載のトイレにおける身体サポータ。
【発明の詳細な説明】
【０００１】
【発明の属する技術分野】
本発明は、身体障害者や高齢者などの身体を自分でサポートするのが困難になった人が、トイレを使用する際にその身体をサポートするための身体サポータに関する。
【０００２】
【従来の技術】
身体障害者や高齢者のためのトイレには、その壁面に手摺や取っ手などの身体サポータが一般的に設けられており、例えば特許文献１には、サポータ本体である可動アームをトイレの壁面に対して回動可能に設け、不使用時はトイレの壁面に沿って収納し、使用時にこれを繰り出すようにしたものが開示されている。
【０００３】
しかし、この特許文献１における可動アームの回動機構は、アームの回動を所定の位置で係止するために、穿孔型や噛合型のストッパ−を有しており、そのため、回動機構が複雑で高コストになるという問題がある。
【０００４】
また、サポータ本体である可動アームは、壁面の支持点だけで支える構造になっている。これでは、使用時に身体を支える荷重(W)は、アームの長さ（L）倍の回転モーメントとなって支持点に掛かるので、壁面の支持点強度は強固なものでなければならない。したがって、身体サポータの取付部となる壁面の強度や取付ビスの強度、それにトイレの広さなどは、それに対応できるものでなければならず、一般の家庭などでは後から身体サポータを追加して取り付けるのは非常に困難であるという問題がある。
【０００５】
【特許文献１】
特開平８−３８３９６号公報
【０００６】
【発明が解決しようとする課題】
本発明が解決しようとする課題は、サポータ本体をトイレの壁面に沿って収納可能、かつ、水平位置に繰り出し可能で、しかも構造が簡単で、その構成部材及びトイレの壁面の強度が低くて済み省スペース化を図ることができるトイレにおける身体サポータを提供することにある。
【０００７】
【課題を解決するための手段】
上記課題を解決するために、本発明に係るトイレにおける身体サポータは、トイレの壁面に沿って水平に設けた手摺と、支柱を介して手摺と連結したサポータ本体と、サポータ本体又は支柱に回動可能に連結した補助支柱とを有している。そして、手摺をその軸線周りに回動可能に取り付けたり、支柱を手摺に対して上下方向に回動可能に取り付けたりすることによって、サポータ本体を、手摺を支点として上下方向に回動可能とし、トイレの壁面に沿った位置に収納可能、かつ、水平位置に繰り出し可能としている。また、この水平位置では、補助支柱の先端がトイレの壁面又は床面に当接することによってサポータ本体を水平位置に固定可能としている。
【０００８】
このように本発明の身体サポータは、トイレの壁面に設けた手摺に支柱を介してサポータ本体を上下方向に回動可能に連結し、サポータ本体又は支柱に補助支柱を回動可能に連結するという簡単な構成であるのでコストを低減することができ、しかもトイレへの取付け・取外しも容易に行うことができる。
【０００９】
また、使用時にサポータ本体にかかる荷重(W)は、支柱と補助支柱に分散され、先に説明した特許文献１のもののように１カ所に大きな回転モーメントとなって作用することがないので、個々の構成部材及び壁面における力点部分の強度を低減することが可能であり、省スペース化も可能である。
【００１０】
本発明の身体サポータにおいて、手摺と支柱とは着脱可能とすることができる。これによって、異なった長さの支柱を複数用意しておくことで、トイレの壁面とトイレ本体との距離やトイレ使用者の体型に応じて、使用時のサポータ本体の位置を適切に設定することができる。また、支柱を二重管にするなどして長さを調節可能にすることによっても、トイレの壁面とトイレ本体との距離やトイレ使用者の体型に応じて、使用時のサポータ本体の位置を適切に設定することができる。
【００１１】
また、補助支柱は鎖又は紐によってトイレの壁面と連結することもできる。鎖又は紐の長さは、サポータ本体の使用時に丁度伸張した状態になる程度とすることが好ましい。これによって、補助支柱の先端部（力点）を壁面と床面の境界位置に位置決めをして、サポーター本体を水平位置で強固に固定する役目をする。そして、この鎖又は紐は、サポーター本体をトイレの壁面に沿って収納したときにも丁度伸張した状態で、サポータ本体の収納時（不使用時）に補助支柱が振れるのを防止できる。
【００１２】
さらに、補助支柱の先端近傍に、サポータ本体がトイレの壁面に沿った位置に収納されているときにトイレの壁面と当接する支持桿を設けることが好ましい。これによって、サポータ本体が収納されている状態で不意にサポータ本体に触れたとしても、補助支柱の先端近傍に設けた支持桿が壁面に当接して一種のストッパーの機能を果たすので、サポータ本体が繰り出されるのを防止できる。
【００１３】
【発明の実施の形態】
以下、本発明の実施の形態を図面に示す実施例に基づき説明する。
【００１４】
実施例１
図１は本発明に係るトイレにおける身体サポータの実施例を示す側面図、図２はその正面図、図３はその平面図である。図１〜図３において実線は身体サポータの使用状態の位置を示し、破線は収納状態の位置を示す。
【００１５】
図１〜図３に示すように、トイレの前壁Ａに手摺１を支持するための２つの手摺支持部１ａ，１ａが水平方向に間隔をおいて設けられており、この２つの手摺支持部１ａ，１ａ間に手摺１がその軸線周りに回動可能に取り付けられている。手摺支持部１ａ，１ａは、トイレの前壁Ａ中の柱のある場所に取り付ける。
【００１６】
手摺１には、その長手方向に沿った２箇所にパイプ用ジョイント１ｂ，１ｂが設けられ、それぞれのパイプ用ジョイント１ｂ，１ｂに支柱２，２の基端が着脱可能に取り付けられている。そして、２本の支柱２，２の先端どうしの間にはサポータ本体３が架け渡されている。
【００１７】
図４は、サポータ本体の縦断面図である。サポータ本体３の正面側及び上面側、すなわち使用時にトイレ使用者の身体と対向する側には、カット面３ａが形成され、トイレ使用者の身体を支えやすい形状とされている。実施例では、取っ手兼用型として左右に把持部３ｂ，３ｂを形成している。
【００１８】
図１〜図３に戻って、サポータ本体３の長手方向中央部には、図示しない蝶番を介して補助支柱４の基端が回動可能に連結されている。また、補助支柱４は、鎖又は紐５によって前壁Ａと連結されている。この鎖又は紐５は前壁Ａ又は補助支柱４と着脱可能であり、その長さは、図１に示すように、身体サポータの使用時及び収納時において丁度伸張した状態になるように設定されている。さらに、補助支柱４の先端にはゴムパット４ａが取り付けられており、その近傍には身体サポータの収納時に前壁Ａに当接する支持桿６が設けられている。
【００１９】
以上の構成において、手摺１はその軸線周りに回動可能であるため、手摺１に支柱２，２を介して連結されたサポータ本体３は上下方向に回動可能であり、図１に明確に示されているように、サポータ本体３は使用しないときにはトイレの前壁Ａに沿った位置に収納可能であり、使用するときには水平位置に繰り出し可能である。この水平位置に繰り出された使用状態においては、鎖又は紐５の伸張によって補助支柱４が位置決めされ、その先端のゴムパット４ａが前壁Ａと床面Ｂとの境界位置（コーナー部）に当接し、これによって、サポータ本体３が水平位置に固定される。また、収納状態では、補助支柱４の先端近傍に設けた支持桿６が前壁Ａに当接しているので、これが一種のストッパーの機能を果たし、サポータ本体３が収納されている状態で不意にサポータ本体３に触れたとしても、サポータ本体３が繰り出されるのを防止できる。
【００２０】
図５は、本実施例の身体サポータの使用状態を示す概略斜視図である。同図に示すように使用時にはサポータ本体３は水平位置まで繰り出されて固定されており、トイレ使用者は、サポータ本体３に身体を預けたり、支柱２を握ったりすることにより、楽な姿勢でトイレを使用できる。また、サポータ本体３や支柱２は立ちかがみ時の補助とすることができるので、健常者にとっても有用である。このとき、サポータ本体３にかかる荷重(W)は、２本の支柱と補助支柱４に分散されるので、各構成部材や前壁Ａにおける力点部分の強度を低減することが可能であり、結果として各構成部材を小さく簡単な構造にすることができるので低コスト・省スペース化も可能である。
【００２１】
さらに、本実施例では、先に説明したように支柱２を手摺１に対して着脱可能に取り付けているので、異なった長さの支柱を用意しておくことで、トイレの前壁Ａとトイレ本体との距離やトイレ使用者の体型に応じて、使用時のサポータ本体の位置を適切に設定することができる。なお、支柱２を手摺１に対して着脱可能に取り付ける代わりに、支柱を二重管にするなどして長さを調節可能にすることによっても、トイレの前壁Ａとトイレ本体との距離やトイレ使用者の体型に応じて、使用時のサポータ本体の位置を適切に設定することができる。
【００２２】
実施例２
図６は本発明に係るトイレにおける身体サポータの他の実施例を示す側面図、図７はその正面図、図８はその平面図である。図６〜図８において実線は身体サポータの使用状態の位置を示し、破線は収納状態の位置を示す。また、実施例１と同一の構成には同一の符号を付し、その詳細な説明は省略する。
【００２３】
先の実施例１の身体サポータはトイレの前壁に取り付けるタイプのものであったが、本実施例の身体サポータはトイレの横壁に取り付けるタイプのものである。前壁がトイレのドアになっている場合など前壁に身体サポータを取り付けることができない場合は、本実施例の横壁取付タイプの身体サポータが有用である。
【００２４】
図６〜図８に示すように、手摺１はトイレの横壁Ｃに手摺支持部１ａ，１ａを介してその軸線周りに回動可能に取り付けられている。そして、サポータ本体３は、直線状の支柱２ａとＬ字状の支柱２ｂの２本の支柱を介して手摺１に連結されている。これによって、サポータ本体３は実施例１と同様に手摺１を支点として上下方向に回動可能となっている。
【００２５】
また、Ｌ字状の支柱２ｂの横壁Ｃと平行な辺には、図示しない蝶番を介して補助支柱４の基端が回動可能に連結されている。また、補助支柱４は、実施例１と同様に、鎖又は紐５によって横壁Ｃと連結されており、この鎖又は紐５の長さは、図７に示すように、身体サポータの使用時及び収納時において丁度伸張した状態になるように設定されている。また、補助支柱４の先端近傍には身体サポータの収納時に横壁Ｃに当接する支持桿６が設けられている。
【００２６】
以上の構成において、本実施例の身体サポータは、図７に明確に示されているように、サポータ本体３は使用しないときにはトイレの横壁Ｃに沿った位置に収納可能であり、使用するときには水平位置に繰り出し可能である。
【００２７】
図９は、本実施例の身体サポータの使用状態を示す概略斜視図である。実施例１と同様に、使用時にはサポータ本体３は水平位置まで繰り出されて固定されており、トイレ使用者は、サポータ本体３に身体を預けたり、支柱２ｂを握ったりすることにより、楽な姿勢でトイレを使用できる。本実施例においても、サポータ本体３にかかる荷重(W)は、２本の支柱２ａ，２ｂと補助支柱４に分散されるので、各構成部材や横壁Ｃにおける力点部分の強度を低減することが可能であり、結果として各構成部材を小さく簡単な構造にすることができるので省スペース化も可能である。
【００２８】
また、本実施例でも支柱２ａ，２ｂを手摺１に対して着脱可能に取り付けているので、異なった長さの支柱を用意しておくことで、トイレの横壁Ｃとトイレ本体との距離やトイレ使用者の体型に応じて、使用時のサポータ本体の位置を適切に設定することができる。また、支柱を二重管にするなどして長さを調節可能にすることによっても、トイレの横壁Ｃとトイレ本体との距離やトイレ使用者の体型に応じて、使用時のサポータ本体の位置を適切に設定することができる。
【００２９】
以上の各実施例では、手摺をその軸線周りに回動可能にすることによって、サポータ本体を上下方向に回動可能としたが、手摺とサポータ本体とを連結する支柱の基端を手摺に対して上下方向に回動可能に取り付けることによっても、サポータ本体を上下方向に回動可能とすることができる。また、実施例では、２本の支柱により手摺とサポータ本体を連結したが、３本以上の支柱で手摺とサポータ本体を連結したり、２本以上の補助支柱を取り付けてもよい。また、手摺支持部も２カ所以上としてもよい。
【００３０】
【発明の効果】
本発明によって以下の効果を奏する。
【００３１】
１．  トイレの壁面に設けた手摺に支柱を介してサポータ本体を上下方向に回動可能に連結し、サポータ本体又は支柱に補助支柱を回動可能に連結するという簡単な構成であるのでコストを低減することができ、しかもトイレへの取付け・取外しも容易に行うことができる。
【００３２】
２．  サポーター本体にかかる荷重は、支柱と補助支柱に分散されるので、個々の構成部材及び壁面における力点部分の強度を低減することが可能で、コストを低減することができる。また、省スペース化も可能で、トイレの壁面強度は低くて済むので、一般の家庭でも容易に取付が可能である。
【００３３】
３．  使用しないときにはトイレの壁面に沿った位置に収納可能であるので、使用しないときに邪魔になることがなく、トイレのスペースを有効に利用することができる。
【００３４】
４．  手摺と支柱とを着脱可能にしたり、支柱の長さを調節可能とすることによって、トイレの壁面とトイレ本体との距離やトイレ使用者の体型に応じて、使用時のサポータ本体の位置を適切に設定することができる。
【００３５】
５．  補助支柱を鎖又は紐によってトイレの壁面と連結することによって、サポータ本体の使用時には丁度伸張した状態で、補助支柱の先端部（力点）を壁面と床面の境界位置に位置決めすることができる。また、サポータ本体の収納時（不使用時）には補助支柱が振れるのを防止できる。
【００３６】
６．  補助支柱の先端近傍に、サポータ本体がトイレの壁面に沿った位置に収納されているときにトイレの壁面と当接する支持桿を設けることによって、サポータ本体が収納されている状態で不意にサポータ本体に触れたとしてもサポータ本体が繰り出されるのを防止できる。
【図面の簡単な説明】
【図１】本発明に係るトイレにおける身体サポータの実施例を示す側面図である。
【図２】図１に示す身体サポータの正面図である。
【図３】図１に示す身体サポータの平面図である。
【図４】サポータ本体の縦断面図である。
【図５】図１に示す身体サポータの使用状態を示す概略斜視図である。
【図６】本発明に係るトイレにおける身体サポータの他の実施例を示す側面図である。
【図７】図６に示す身体サポータの正面図である。
【図８】図６に示す身体サポータの平面図である。
【図９】図６に示す身体サポータの使用状態を示す概略斜視図である。
【符号の説明】
１  手摺
１ａ  手摺支持部
１ｂ  パイプ用ジョイント
２，２ａ，２ｂ  支柱
３  サポータ本体
３ａ  カット面
３ｂ  把持部
４  補助支柱
４ａ  ゴムパット
５  鎖又は紐
６  支持桿
Ａ  トイレの前壁（壁面）
Ｂ  トイレの床面
Ｃ  トイレの横壁（壁面）
【図１】
2004195014.tif 000003
【図２】
2004195014.tif 000004
【図３】
2004195014.tif 000005
【図４】
2004195014.tif 000006
【図５】
2004195014.tif 000007
【図６】
2004195014.tif 000008
【図７】
2004195014.tif 000009
【図８】
2004195014.tif 000010
【図９】
2004195014.tif 000011